(57)【要約】【課題】VHOを遂行する際のパケット損失を最小化してネットワーク資源の浪費を防ぎ、通信サービスの品質を向上することができるVHO方法を開示する。【解決手段】MIHサーバのVHO方法は、第１通信網と接続した所定のMIH端末機からVHOが要請される場合、要請されたVHOに適合した第２通信網を検索してこの第２通信網システムにMIH端末機情報を送信する段階と、MIH端末機に第２通信網へのVHOを要請する段階と、第２通信網システムから受信する第２通信網の臨時チャンネル情報をMIH端末機に送信し、MIH端末機と第２通信網システムとの間の臨時チャンネル接続を制御する段階とを含む。【選択図】図１
2008113413.tif 000002
【特許請求の範囲】
【請求項１】
MIH（Media Independent Handover）サーバのVHO（Vertical Handover）方法において、
第１通信網と接続した所定のMIH端末機からVHOが要請される場合、前記要請されたVHOに適合した第２通信網を検索して前記第２通信網システムに前記MIH端末機情報を送信する段階と、
前記MIH端末機に前記第２通信網へのVHOを要請する段階と、
前記第２通信網システムから受信する前記第２通信網の臨時チャンネル情報を前記MIH端末機に送信し、前記MIH端末機と前記第２通信網システムとの間の前記臨時チャンネル接続を制御する段階と、
を含むことを特徴とするMIHサーバのVHO方法。
【請求項２】
前記MIH端末機と前記第２通信網システムとの間の前記臨時チャンネルが接続される場合、前記第１通信網システムを介して前記MIH端末機に送信されるダウンリンクトラフィックを複写して前記第２通信網システムに送信する段階をさらに含み、
前記第２通信網システムは、前記MIHサーバから受信する前記ダウンリンクトラフィックを前記臨時チャンネルを介して前記MIH端末機に送信することを特徴とする請求項１に記載のMIHサーバのVHO方法。
【請求項３】
前記MIH端末機は、前記臨時チャンネルが接続される場合、前記第１通信網システムから受信するダウンリンクトラフィックのパケットシーケンス番号と前記第２通信網システムから受信するダウンリンクトラフィックのパケットシーケンス番号を互いに比較し、前記シーケンス番号が重複するパケットは放棄し、送信に成功したパケットを選択することを特徴とする請求項２に記載のMIHサーバのVHO方法。
【請求項４】
前記MIH端末機は、前記臨時チャンネルの接続後、前記第１通信網システムへのアップリンクトラフィック送信が失敗する場合、前記臨時チャンネルを介して前記第２通信網システムに前記アップリンクトラフィックを送信することを特徴とする請求項１に記載のMIHサーバのVHO方法。
【請求項５】
前記MIH端末機は、前記臨時チャンネルが接続される場合、前記第１通信網システムに送信する前記アップリンクトラフィックを二重に再送信することなく１度だけ送信するように前記第１通信網に対するMAC（Media Access Control）機能を制御することを特徴とする請求項４に記載のMIHサーバのVHO方法。
【請求項６】
前記MIH端末機は、前記MIHサーバから前記第２通信網へのVHOが要請される場合、前記第２通信網システムと前記VHOを遂行し、
前記MIHサーバは、前記第２通信網と前記MIH端末機との間の前記VHOが完了した後、前記第１通信網と前記MIH端末機との間の接続解除および前記第２通信網と前記MIH端末機との間の前記臨時チャンネル接続解除を制御することを特徴とする請求項１に記載のMIHサーバのVHO方法。
【請求項７】
前記臨時チャンネルは、前記第２通信網システムの該当する基地局に割り当てられた共用チャンネルであり、前記VHO遂行後、前記MIH端末機は、前記第２通信網と前記基地局に割り当てられた専用チャンネルを介して接続されることを特徴とする請求項１に記載のMIHサーバのVHO方法。
【請求項８】
前記MIH端末機は、MIHモジュールを備えた所定の通信端末機であり、
前記MIHサーバは、前記第１通信網および前記第２通信網の連動を制御するゲートウェイまたはクロスオーバールータの一部構成であることを特徴とする請求項１に記載のMIHサーバのVHO方法。
【請求項９】
前記第１通信網はIEEE 802．21で支援する通信網のうちのいずれか１つであり、前記第２通信網は前記IEEE 802．21で支援する通信網のうち無線LANを除いた通信網のうちのいずれか１つであることを特徴とする請求項１に記載のMIHサーバのVHO方法。
【請求項１０】
MIH端末機のVHO方法において、
第１通信網との接続信号の強度が所定値以下である場合、信号の検出が可能な１つ以上の通信網情報を前記第１通信網に対応するMIHサーバに送信する段階と、
前記MIHサーバから前記１つ以上の通信網のうちの１つである第２通信網へのVHO要請および前記第２通信網の臨時チャンネル情報を受信する段階と、
前記第２通信網との前記臨時チャンネル接続を遂行する段階と、
を含むことを特徴とするMIH端末機のVHO方法。
【請求項１１】
前記MIH端末機と前記第２通信網システムとの間の前記臨時チャンネルが接続される場合、前記MIHサーバは、前記第１通信網システムを介して前記MIH端末機に送信されるダウンリンクトラフィックを複写して前記第２通信網システムに送信し、
前記MIH端末機は、前記第２通信網システムから前記ダウンリンクトラフィックを前記臨時チャンネルを介して受信することを特徴とする請求項10に記載のMIH端末機のVHO方法。
【請求項１２】
前記MIH端末機は、前記臨時チャンネルが接続される場合、前記第１通信網システムから受信するダウンリンクトラフィックのパケットシーケンス番号と前記第２通信網システムから受信するダウンリンクトラフィックのパケットシーケンス番号を互いに比較し、前記シーケンス番号が重複するパケットは放棄し、送信が成功したパケットを選択することを特徴とする請求項10に記載のMIH端末機のVHO方法。
【請求項１３】
前記MIH端末機は、前記臨時チャンネルの接続後、前記第１通信網システムへのアップリンクトラフィック送信が失敗する場合、前記臨時チャンネルを介して前記第２通信網システムに前記アップリンクトラフィックを送信することを特徴とする請求項10に記載のMIH端末機のVHO方法。
【請求項１４】
前記MIH端末機は、前記臨時チャンネルが接続される場合、前記第１通信網システムに送信する前記アップリンクトラフィックを二重に再送信することなく一度だけ送信するように前記第１通信網に対するMAC機能を制御することを特徴とする請求項13に記載のMIH端末機のVHO方法。
【請求項１５】
前記第２通信網システムとの前記VHOを遂行する段階をさらに含み、
前記MIHサーバは、前記第２通信網と前記MIH端末機との間の前記VHOが完了した後、前記第１通信網と前記MIH端末機との間の接続解除および前記第２通信網と前記MIH端末機との間の前記臨時チャンネル接続解除を制御することを特徴とする請求項10に記載のMIH端末機のVHO方法。
【請求項１６】
前記臨時チャンネルは、前記第２通信網システムの該当する基地局に割り当てられた共用チャンネルであり、前記VHO以後、前記MIH端末機は、前記第２通信網と前記基地局に割り当てられた専用チャンネルを介して接続されることを特徴とする請求項10に記載のMIH端末機のVHO方法。
【請求項１７】
前記MIH端末機は、MIHモジュールを備えた所定の通信端末機であって、
前記MIHサーバは、前記第１通信網および前記第２通信網の連動を制御するゲートウェイまたはクロスオーバールータの一部構成であることを特徴とする請求項10に記載のMIHサーバのVHO方法。
【請求項１８】
前記第１通信網はIEEE 802．21で支援する通信網のうちのいずれか１つであり、前記第２通信網は前記IEEE 802．21で支援する通信網のうち無線LANを除いた通信網のうちのいずれか１つであることを特徴とする請求項10に記載のMIHサーバのVHO方法。
【請求項１９】
MIH端末機およびMIHサーバのVHO方法において、
前記MIH端末機と第１通信網との接続信号の強度が所定値以下である場合、前記MIH端末が信号の検出が可能な１つ以上の通信網情報を前記第１通信網に対応するMIHサーバに送信する段階と、
前記MIHサーバが前記１つ以上の通信網のうちVHOに適合する第２通信網を検索し、前記第２通信網システムに前記MIH端末機情報を送信する段階と、
前記MIHサーバが前記第２通信網システムから前記第２通信網の臨時チャンネル情報を受信する段階と、
前記MIHサーバが前記MIH端末機に前記第２通信網へのVHOを要請および前記第２通信網の臨時チャンネル情報を送信する段階と、
前記MIH端末機が前記第２通信網システムと前記臨時チャンネルの接続を遂行する段階と、
前記MIH端末機が前記第２通信網へのVHOを遂行する段階と、
を含むことを特徴とするMIH端末機およびMIHサーバのVHO方法。
【請求項２０】
前記MIHサーバは、前記MIH端末機と前記第２通信網システムとの間の前記臨時チャンネルが接続される場合、前記第１通信網システムを介して前記MIH端末機に送信されるダウンリンクトラフィックを複写して前記第２通信網システムに送信し、
前記第２通信網システムは、前記MIHサーバから受信する前記ダウンリンクトラフィックを前記臨時チャンネルを介して前記MIH端末機に送信することを特徴とする請求項19に記載のMIH端末機およびMIHサーバのVHO方法。
【請求項２１】
前記MIH端末機は、前記臨時チャンネルが接続される場合、前記第１通信網システムから受信するダウンリンクトラフィックのパケットシーケンス番号と前記第２通信網システムから受信するダウンリンクトラフィックのパケットシーケンス番号を互いに比較し、前記シーケンス番号が重複するパケットは放棄し、送信が成功したパケットを選択することを特徴とする請求項19に記載のMIH端末機およびMIHサーバのVHO方法。
【請求項２２】
前記MIH端末機は、前記臨時チャンネルの接続後、前記第１通信網システムへのアップリンクトラフィック送信が失敗する場合、前記臨時チャンネルを介して前記第２通信網システムに前記アップリンクトラフィックを送信することを特徴とする請求項19に記載のMIH端末機およびMIHサーバのVHO方法。
【請求項２３】
前記MIH端末機は、前記臨時チャンネルが接続される場合、前記第１通信網システムに送信される前記アップリンクトラフィックを二重に再送信することなく一度だけ送信するように前記第１通信網に対するMAC機能を制御することを特徴とする請求項22に記載のMIH端末機およびMIHサーバのVHO方法。
【請求項２４】
前記MIH端末機は、前記MIHサーバから前記第２通信網へのVHOが要請される場合、前記第２通信網システムと前記VHOを遂行し、
前記MIHサーバは、前記第２通信網と前記MIH端末機との間の前記VHOが完了した後、前記第１通信網と前記MIH端末機との間の接続解除および前記第２通信網と前記MIH端末機との間の前記臨時チャンネル接続解除を制御することを特徴とする請求項19に記載のMIH端末機およびMIHサーバのVHO方法。
【請求項２５】
前記臨時チャンネルは、前記第２通信網システムの該当する基地局に割り当てられた共用チャンネルであり、前記VHO以後、前記MIH端末機は、前記第２通信網と前記基地局に割り当てられた専用チャンネルを介して接続されることを特徴とする請求項19に記載のMIH端末機およびMIHサーバのVHO方法。
【請求項２６】
前記MIH端末機は、MIHモジュールを備えた所定の通信端末機であって、
前記MIHサーバは、前記第１通信網および前記第２通信網の連動を制御するゲートウェイまたはクロスオーバールータの一部構成であることを特徴とする請求項19に記載のMIH端末機およびMIHサーバのVHO方法。
【請求項２７】
前記第１通信網はIEEE 802．21で支援する通信網のうちのいずれか１つであり、前記第２通信網は前記IEEE 802．21で支援する通信網のうち無線LANを除いた通信網のうちのいずれか１つであることを特徴とする請求項19に記載のMIH端末機およびMIHサーバのVHO方法。
【請求項２８】
請求項1〜27のいずれか一項の方法を実行させるためのプログラムを記録したコンピュータ読み取り可能な記録媒体。
【請求項２９】
第１通信網との接続信号の強度が所定値以下である場合、信号の検出が可能な１つ以上の通信網情報を前記第1通信網に対応するMIHサーバに送信してVHOを要請し、前記MIHサーバから前記１つ以上の通信網のうちの１つである第２通信網へのVHO要請および前記第２通信網の臨時チャンネル情報を受信する場合、前記第２通信網との前記臨時チャンネル接続および前記VHOを遂行するMIH端末機と、
前記MIH端末機から前記VHOが要請される場合、前記要請されたVHOに適合した前記第２通信網を検索して前記第２通信網システムに前記MIH端末機情報を送信し、前記MIH端末機に前記第２通信網へのVHOを要請し、前記第２通信網システムから受信する前記第２通信網の臨時チャンネル情報を前記MIH端末機に送信し、前記MIH端末機と前記第２通信網システムとの間の前記臨時チャンネル接続を制御するMIHサーバと、
を含むことを特徴とするVHOを遂行するMIH端末機およびMIHサーバ。
【発明の詳細な説明】
【技術分野】
【０００１】
本発明は、VHO（Vertical Handover）を遂行するMIH（Media Independent Handover）端末機とMIHサーバおよびこれによるVHO方法に関し、より詳細には、第１通信網から第２通信網へのVHOを遂行する場合、MIHサーバが第２通信網システムの臨時チャンネル情報をMIH端末機に送信し、MIH端末機が第２通信網システムと臨時チャンネル接続を維持しながらVHOを遂行することにより、VHOが遂行される際に発生するパケット損失を最小化して通信サービスの品質を常に維持することができるMIH端末機とMIHサーバおよびこれによるVHO方法に関する。
【背景技術】
【０００２】
通信技術の発展に伴い、現在は多様な種類の通信サービスが普及して広く用いられている。このような通信サービスの種類が多様化することにより、１つの通信端末機に多様な通信サービスをすべて支援するデュアルモード端末機も広く普及している。デュアルモード端末機とは、支援する各通信網間のハンドオーバを遂行するものであって、ユーザが多様な通信サービスを便利に受けることができるように動作する。
【０００３】
例えば、デュアルモード端末機は、CDMA（Code Division Multiple Access）通信網とGSM（Global System for Mobile Communications）通信網との間のハンドオーバを遂行することもできるし、W-CDMA（Wideband Code Division Multiple Access）通信網とCDMA通信網との間のハンドオーバを遂行することもできる。
このようなデュアルモード端末機でハンドオーバを遂行する際の重要な問題点は、ハンドオーバの遅延によるパケット損失である。すなわち、ハンドオーバが遅延する場合、端末機は瞬間的に各通信網との正常な通信を遂行できなくなるため、送受信されるパケットが損失することがある。前述のようなハンドオーバの遅延時間が長くなるほど、このようなパケットの損失も大きくなる。
【０００４】
特に、異機種のモード間におけるハンドオーバの場合、ネットワークで処理すべき工程が多いため、同一のモード間におけるハンドオーバの場合よりもハンドオーバの遅延時間が長くならざるを得ない。したがって、損失するパケットの量も多くなるため、異機種のモード間におけるハンドオーバにおいては、パケット損失を最小化することが最大の解決課題であると言える。特に、WLAN（Wireless Local Area Network:無線LAN）から他の通信網にVHOを遂行する場合、WLANにおいては、WLANのMAC（Media Access Control）プロトコルの送信が失敗すると、再送信を何度も繰り返すように動作する特性があるため、端末機とWLAN AP（無線LANアクセスポイント）との間の無線資源の浪費が甚だしくなる。
【０００５】
このような従来技術の問題点によって、VHOを遂行する際のパケット損失を最小化してネットワーク資源の浪費を防ぎ、通信サービスの品質を向上することができるVHO方法の開発が求められている。
【特許文献１】大韓民国特許出願公開第2004−0026056号公報
【発明の開示】
【発明が解決しようとする課題】
【０００６】
本発明は、前述したような従来技術を改善するために案出されたものであって、MIH端末機とMIHサーバが第１通信網から第２通信網にVHOを遂行する場合、MIHサーバが第２通信網システムから臨時チャンネル情報を獲得してMIH端末機に送信し、MIH端末機が第２通信網との臨時チャンネル接続を維持しながらVHOを遂行することにより、VHOが遂行される際に発生するパケット損失を最小化して通信サービスの品質を常に維持することができるMIH端末機とMIHサーバおよびこれによるVHO方法を提供することを目的とする。
【０００７】
また、本発明は、前述したようなMIH端末機およびMIHサーバのVHOを介して、VHOが遂行される間にもパケット損失を最小化することにより、実時間で通信サービスを遂行する場合には映像や音声品質の劣化を最小化することができ、非実時間で通信サービスを遂行する場合にはVHOによる送信速度の低下を最小化することができるMIH端末機とMIHサーバおよびこれによるVHO方法を提供することを目的とする。
【課題を解決するための手段】
【０００８】
前述の目的を達成し、従来技術の問題点を解決するために、本発明に係るMIHサーバのVHO方法は、第１通信網に接続した所定のMIH端末機からVHOが要請される場合、要請されたVHOに適合した第２通信網を検索してこの第２通信網システムにMIH端末機情報を送信する段階と、MIH端末機に第２通信網へのVHOを要請する段階と、第２通信網システムから受信する第２通信網の臨時チャンネル情報をMIH端末機に送信し、MIH端末機と第２通信網システムとの間の臨時チャンネル接続を制御する段階とを含むことを特徴とする。
【０００９】
また、本発明に係るMIH端末機のVHO方法は、第１通信網との接続信号の強度が所定値以下である場合、信号の検出が可能な１つ以上の通信網情報を第１通信網に対応するMIHサーバに送信する段階と、MIHサーバから１つ以上の通信網のうちの１つである第２通信網へのVHO要請および第２通信網の臨時チャンネル情報を受信する段階と、第２通信網との臨時チャンネル接続を遂行する段階とを含むことを特徴とする。
【００１０】
また、本発明に係るMIH端末機とMIHサーバとの間のVHO方法は、MIH端末機と第１通信網との接続信号の強度が所定値以下である場合、MIH端末機が信号の検出が可能な１つ以上の通信網情報を第１通信網に対応するMIHサーバに送信する段階と、MIHサーバが１つ以上の通信網のうちVHOに適合した第２通信網を検索してこの第２通信網システムにMIH端末機情報を送信する段階と、MIHサーバが第２通信網システムから第２通信網の臨時チャンネル情報を受信する段階と、MIHサーバがMIH端末機に第２通信網へのVHOを要請および第２通信網の臨時チャンネル情報を送信する段階と、MIH端末機が第２通信網システムと臨時チャンネルの接続を遂行する段階と、MIH端末機が第２通信網へのVHOを遂行する段階とを含むことを特徴とする。
【発明の効果】
【００１１】
本発明のMIH端末機とMIHサーバおよびこれによるVHO方法によれば、MIH端末機とMIHサーバが第１通信網から第２通信網にVHOを遂行する場合、MIHサーバが第２通信網システムから臨時チャンネル情報を獲得してMIH端末機に送信し、MIH端末機が第２通信網との臨時チャンネル接続を維持しながらVHOを遂行することにより、VHOが遂行される際に発生するパケット損失を最小化して通信サービスの品質を常に維持することができる効果を得ることができる。
【００１２】
また、本発明のMIH端末機とMIHサーバおよびこれによるVHO方法によれば、前述したようなMIH端末機およびMIHサーバのVHOを介して、VHOが遂行される間もパケット損失を最小化することにより、実時間で通信サービスを遂行する場合には映像や音声品質の劣化を最小化することができ、非実時間で通信サービスを遂行する場合にはVHOによる送信速度の低下を最小化することができるという顕著な効果を得ることができる。
【発明を実施するための最良の形態】
【００１３】
本発明に係るMIH端末機とMIHサーバとの間のVHO方法は、第１通信網および第２通信網によって具現される。すなわち、MIH端末機が第１通信網から第２通信網にVHOを遂行する際に具現される。第１通信網はIEEE 802．21で支援する通信網のうちのいずれか１つであり、第２通信網はIEEE 802．21で支援する通信網のうち無線LANを除いた通信網のうちのいずれか１つで具現される。
【００１４】
ただし、本明細書においては、説明の便宜のために、第１通信網がWLANであり、第２通信網がWiBro（Wireless Broadband）である場合を例として説明する。
以下、添付の図面を参照して、本発明の実施形態を詳しく説明する。
図１は、本発明に係るVHOを遂行するMIH端末機およびMIHサーバを含む全体ネットワークシステムの一例を示した図である。
【００１５】
本発明に係るVHOを遂行する全体ネットワークシステムは、MIH端末機110と、MIHサーバ120と、WMAN RAS130と、WLAN AP140と、バックボーンネットワーク150とを含んで構成される。
MIH端末機110は、IEEE 802．21で標準化された技術であるMIHモジュールを備えた通信端末機を意味する。すなわち、MIH端末機110は、IEEE 802．21で提案するシームレスVHOを遂行するように具現される。MIH端末機110は、多様な種類の移動通信端末機、ノートパンコン、ゲーム機などで具現される。
【００１６】
MIH端末機110は、第１通信網との接続信号の強度が所定値以下である場合、信号の検出が可能な１つ以上の通信網情報を第１通信網に対応するMIHサーバ120に送信してVHOを要請する。この後、MIHサーバ120から１つ以上の通信網のうちの１つである第２通信網へのVHO要請および第２通信網の臨時チャンネル情報を受信する場合、MIH端末機110は、第２通信網との臨時チャンネル接続およびVHOを遂行する。
【００１７】
MIHサーバ120は、IEEE 802．21で標準化された技術であるMIHモジュールを備えた所定のサーバを意味する。MIHサーバ120は、所定のゲートウェイ（Gateway）の一部構成として具現される。例えば、図１に示すように、第１通信網がWLANで構成され、第２通信網がWiBroで構成される場合、第１通信網および第２通信網に対するアップリンクトラフィック（uplink traffic）が集中し、ダウンリンクトラフィック（downlink traffic）が分配される共通の経路地点であるクロスオーバールータ（crossover router）にMIHサーバ120を設置することができる。すなわち、クロスオーバールータは第１通信網および第２通信網に対するゲートウェイで構成することができ、MIHサーバ120はこのクロスオーバールータの一部構成として具現することができる。
【００１８】
MIHサーバ120は、MIH端末機120からVHOが要請される場合、この要請されたVHOに適合した第２通信網を検索して第２通信網システムにMIH端末機110情報を送信し、MIH端末機110に第２通信網へのVHOを要請する。この後、MIHサーバ120は、第２通信網システムから受信する第２通信網の臨時チャンネル情報をMIH端末機110に送信し、MIH端末機と第２通信網システムとの間の臨時チャンネル接続を制御する。
【００１９】
WMAN RAS130は第２通信網であるWiBro基地局を意味し（WMANは、無線MAN（Wireless Metropolitan Area Network）、RASはRemote Access Service）、WLAN AP140は第１通信網である無線LANアクセスポイントを意味する。また、MIH端末機110は、MIHサーバ120のVHO制御によって第１通信網または第２通信網を介してバックボーンネットワーク150と接続することができる。
【００２０】
以下、図２を参照して、上述したMIH端末機110およびMIHサーバ120のVHO動作についてより詳細に説明する。
図２は、本発明の一実施形態に係るMIH端末機およびMIHサーバのVHO方法を示した図である。
図２では図１と同様、MIH端末機が第１通信網であるWLANから第２通信網であるWiBroにVHOを遂行する場合を例として説明する。
【００２１】
MIH端末機は、第１通信網との接続のためにWLAN APと信号を送受信する。MIH端末機は、WLAN APから受信する信号を所定値以下の強度で検出する場合、第１通信網から他の通信網にVHOを遂行すべきであると判断し、自身が必要とする資源の量と現在信号を検出することができるすべての通信網に対する情報をMIH＿Handover＿Initiateというメッセージ内に含ませ、WLAN APを介してMIHサーバに送信する（段階211および段階212）。
【００２２】
MIHサーバは、MIH端末機からMIH＿Handover＿Initiateメッセージを受信する場合、MIH端末機がVHOを要請するものと判断する。これにより、MIHサーバは、MIH＿Handover＿Initiateメッセージに含まれた通信網情報を参照し、MIH端末機が要請する資源の使用可否を調査した後、MIH端末機がVHOを遂行するのに最も適合した第２通信網を検出する。
例えば、第２通信網を検出するために、MIHサーバは、WiBro通信網の基地局であるWMAN RASにMIH端末機の情報が含まれたHandover＿Resourceメッセージを送信し、MIH端末機のVHOが可能であるかを問い合わせる（段階213）。MIH端末機情報は、MIH端末機の識別子または要請されるチャンネルのサイズ情報などを含んで具現される。
【００２３】
このとき、MIHサーバが、WMAN RASからVHOが可能だというHnadover＿Resourceメッセージを受信し（段階214）、WiBroへのVHOが最も適合すると判断した場合、MIHサーバはWiBroをVHOを遂行するための第２通信網として認知する。
その後、MIHサーバは、WMAN RASに臨時チャンネル設定を要請するTemp＿Channel＿Setupメッセージを送信する（段階215）。
【００２４】
WMAN RASは、MIH端末機との臨時チャンネルを開通するための臨時チャンネル情報が含まれたTemp＿Channel＿SetupメッセージをMIHサーバに送信する（段階216）。臨時チャンネル情報は、WMAN RASに割り当てられた共用チャンネル（shared channel）情報として具現される。また、臨時チャンネル情報は、MIH端末機が臨時チャンネルへの接続のためのアップリンク／ダウンリンクチャンネル情報であるチャンネル識別子およびデフォルト測定値などを含んで具現される。
【００２５】
MIHサーバは、WMAN RASから受信した臨時チャンネル情報を含むMIH＿Handover＿InitiateメッセージをWLAN APを介してMIH端末機に送信する（段階217および段階218）。また、MIHサーバは、MIH＿Handover＿Initiateメッセージを介して、MIH端末機がWMAN RASを介して第２通信網であるWiBroへのVHOを遂行することを要請する。すなわち、MIH＿Handover＿Initiateメッセージは、MIH端末機のVHOのための所定の情報を含む。
【００２６】
MIH端末機は、MIHサーバから臨時チャンネル情報を含むMIH＿Handover＿Initiateメッセージを受信する場合、臨時チャンネル情報を用いてWMAN RASと臨時チャンネルを設定する。
臨時チャンネルは、上述したように、第２通信網基地局であるWMAN RASに割り当てられた共用チャンネルで具現される。一般的に、大部分の無線通信基地局には、共用チャンネルおよび専用チャンネル（dedicated channel）が割り当てられる。
【００２７】
共用チャンネルは、基地局の該当するセル（cell）内に属したすべての端末機が共有することができるチャンネルであって、品質は比較的落ちるが、端末機および基地局が複雑なセットアップ工程を遂行しなくても、臨時でチャンネルを設定することができる長所がある。専用チャンネルは、基地局の該当するセル内に属した端末機と接続を遂行する公式チャンネルであって、専用チャンネルを設定するためには所定のセットアップ工程が求められる。すなわち、MIH端末機は、WMAN RASに割り当てられた専用チャンネルとの接続を介してVHOを遂行することができる。
【００２８】
VHOを含んだ一般的なハンドオーバは、1）走査（scanning）、2）ranging、3）認証、4）IPアドレス割り当て、5）サービス登録の工程を介して遂行される。
MIH端末機とWMAN RASとの間の臨時チャンネルは、ハンドオーバ工程を遂行せずに設定することができる。すなわち、走査工程に代えて、MIHサーバがMIH端末機の無線環境を考慮してVHOに適合した通信網およびこれによる基地局を設定するように構成できる。また、ranging工程に代えて、MIHサーバからMIH端末機情報を受信したWMAN RASがMIH端末機情報に基づいてデフォルト値を設定し、MIHサーバを介してMIH端末機に送信するように構成できる。
【００２９】
また、認証工程に代えて、MIHサーバの保証の下にWMAN RASが臨時チャンネルを付与するように構成でき、IPアドレス割り当て工程に代えて、臨時チャンネル用に保存されたアドレスをWMAN RASがMIHサーバとMIH端末機に通報するように構成できる。また、サービス登録工程に代えて、MIHサーバが含む既存のサービス情報をWMAN RASがそのまま用いることにより代替可能である。
【００３０】
このように、本発明に係るMIH端末機とWMAN RASとの間の臨時チャンネル設定は、一般的なハンドオーバ工程を遂行しなくても迅速に遂行することができる。
MIH端末機とWMAN RASとの間の臨時チャンネルが設定されれば、MIH端末機は、WLAN APとの接続およびWMAN RASとの臨時チャンネル接続を同時に維持する（段階219）。MIH端末機は、WLAN APを介した第１通信網へのアップリンクトラフィック送信が失敗する場合、WMAN RASとの臨時チャンネルを介して第２通信網にアップリンクトラフィックを送信する。
【００３１】
すなわち、MIH端末機が第１通信網の領域から次第に離脱することでWLAN APとの接続状態が良好でなくなる場合、第１通信網へのアップリンクトラフィック送信が失敗する場合がある。このような場合、MIH端末機は、第１通信網へのアップリンクトラフィック送信を再始動せず、臨時チャンネルを介して第２通信網にアップリンクトラフィック送信を開始するように構成できる。
【００３２】
前述したような動作によって、MIH端末機が臨時チャンネルを設定する場合、WLAN APに送信するアップリンクトラフィックが二重に再送信（retransmission）されることなく、１度だけ送信されるようにMIH端末機の無線LAN MAC機能を再設定することが好ましい。したがって、チャンネル状況が良好でない第１通信網のWLAN APにアップリンクトラフィックを何度も再送信することによって生じ得る通信資源の浪費を事前に防ぐことができる。
【００３３】
MIH端末機とWMAN RASとの間の臨時チャンネルが設定される場合、MIHサーバは、第１通信網のWLAN APを介してMIH端末機に送信されるダウンリンクトラフィックを複写して第２通信網のWMAN RASに送信する。WMAN RASは、MIHサーバから受信するダウンリンクトラフィックを臨時チャンネルを介してMIH端末機に送信する（段階220）。
前述したようなMIHサーバの動作によって、MIH端末機は、同一のダウンリンクトラフィックをWLAN APとのチャンネルおよびWMAN RASとの臨時チャンネルを介してそれぞれ受信することができる。このような場合、MIH端末機は、WLAN APとのチャンネルから受信するダウンリンクトラフィック（第１ダウンリンクトラフィック）とWMAN RASとの臨時チャンネルから受信するダウンリンクトラフィック（第２ダウンリンクトラフィック）のうちのいずれか１つを選択することができる。
【００３４】
例えば、MIH端末機は、第１ダウンリンクトラフィックのパケットシーケンス番号と第２ダウンリンクトラフィックのパケットシーケンス番号を比較し、シーケンス番号が重複するパケットは放棄し、正常に送信されたパケットのみを選択することができる。また、MIH端末機は、第１ダウンリンクトラフィックおよび第２ダウンリンクトラフィックの両方が同時刻に正常に送信されたことを検出する場合には、どちらか一方のダウンリンクトラフィックを任意に選択するように構成できる。ダウンリンクトラフィックの選択は、当業者の判断によって多様な方法で設定することができる。
【００３５】
前述のような臨時チャンネルの設定とともに、MIH端末機は、第２通信網とのVHOを遂行する。すなわち、MIH端末機は、上述したハンドオーバ工程によってWMAN RASとのVHO工程を遂行できる。MIH端末機は、VHOを遂行しなければならない相手がMIHサーバの認証を介してWMAN RASとして指定されることにより、ハンドオーバ工程のうち走査工程を省略することができる。
【００３６】
MIH端末機は、WMAN RASのranging工程、IPアドレス割り当て工程、およびサービス登録の工程を遂行してVHOを遂行することができる。サービス登録工程において、MIH端末機は、正式リンクの資源状態に適合するようにサービス登録を再調整することができる。例えば、通信サービスとしてSIP（Session Initiation Protocol）を用いる場合、MIH端末機はセッションのre−inviteを介してSIPサービス登録を再調整することができる。
【００３７】
VHO工程が完了すると、MIH端末機およびWMAN RASは、専用チャンネルを介して接続される。したがって、MIH端末機は、専用チャンネルを介して第２通信網にアップリンクトラフィックを送信することができる（段階221）。また、MIHサーバは、WMAN RASおよび専用チャンネルを介してMIH端末機にダウンリンクトラフィックを送信することができる（段階222）。
【００３８】
このように、VHOが完了してMIH端末機とWMAN RASとの間に専用チャンネルが設定される場合、MIH端末機は、WLAN APを介して第１通信網と接続したチャンネルを解除する。また、MIH端末機は、WMAN RASとの臨時チャンネルも解除する。臨時チャンネルの解除は、WMAN RASまたはMIHサーバの制御によって遂行される。
以上、図２を介して説明したように、本発明に係るVHO工程は、MIH端末機がVHOを遂行しようとするターゲットアクセスノード（Target Access Node）に対してMIHサーバがMIH端末機情報を送信し、ターゲットアクセスノードから臨時チャンネル情報およびVHO関連情報が割り当てられた後、これをMIH端末機に送信してターゲットアクセスノードとMIH端末機との間の臨時チャンネル設定およびVHO工程を仲介することが大きな特徴である。
【００３９】
また、MIH端末機の場合、MIHサーバからターゲットアクセスノードの臨時チャンネル情報およびVHO関連情報を受信する場合、ターゲットアクセスノードと臨時チャンネルを設定した後にVHO工程を遂行する。臨時チャンネルが設定されると、MIH端末機は、既存のアクセスノードへのアップリンク送信が失敗する場合に、再送信せずに臨時チャンネルを介してターゲットアクセスノードにパケットを送信する。したがって、VHO工程中のアップリンク送信成功率をより向上させ、通信資源の浪費を最小化することができる。
【００４０】
また、臨時チャンネルが設定されると、MIHサーバは、既存アクセスノードを介して送信されるダウンリンクトラフィックを複写し、ターゲットアクセスノードの臨時チャンネルを介してMIH端末機に送信する。したがって、VHO工程中のダウンリンクトラフィックの送信成功率を高めることができる。
このように、MIHサーバは、MIH端末機とターゲットアクセスノードとの間で臨時チャンネルの割り当て、臨時チャンネルを用いるための認証情報提供、およびユーザサービスに必要な資源確保要請などの作業を遂行する。
【００４１】
したがって、本発明のように、臨時チャンネルを用いてVHOを遂行する場合、ハンドオーバ遅延によるパケット損失を最小化する効果を得ることができる。このように、VHO工程中にパケット損失が発生しないため、他の通信網へのハンドオーバ中でもリアルタイムサービスによる映像や音声品質の劣化が発生しないし、非リアルタイムサービスによるデータ送信速度も最適の速度を維持することができる効果が得られる。
【００４２】
したがって、MIH端末機ユーザは、通信サービス品質の劣化に対して心配することなく、現在の自分の位置や動作状態によって最適な通信網への接続を変化させながら通信サービスの提供を受けることができるため、本当の意味でのユビキタス通信サービスを具現することができる。
図３は、本発明の一実施形態に係るMIHサーバのVHO方法の流れを示したフローチャートである。
【００４３】
本発明の一実施形態に係るMIHサーバは、第１通信網と接続した所定のMIH端末機からVHOが要請される場合（段階311）、要請されたVHOに適合した所定の通信網を検索する（段階312）。
MIHサーバは、VHOに適合した通信網が第２通信網であると判断されると、第２通信網システムにMIH端末機情報を送信する（段階313）。MIHサーバは、MIH端末機情報の送信とともにMIH端末機に第２通信網へのVHOを要請する。
【００４４】
MIHサーバは、第２通信網システムから第２通信網の臨時チャンネル情報を受信する（段階314）。MIHサーバは、臨時チャンネル情報をMIH端末機に送信し（段階315）、MIH端末機と第２通信網システムとの間の臨時チャンネル接続を制御する。
MIH端末機と第２通信網システムとの間の臨時チャンネルが設定される場合、MIHサーバは、第１通信網システムを介してMIH端末機に送信されるダウンリンクトラフィックを複写して第２通信網システムに送信し、第２通信網システムは、ダウンリンクトラフィックをMIH端末機に臨時チャンネルを介して送信する（段階316）。
【００４５】
MIH端末機は、臨時チャンネルが接続する場合、第１通信網システムから受信するダウンリンクトラフィックのパケットシーケンス番号と第２通信網システムから受信するダウンリンクトラフィックのパケットシーケンス番号を互いに比較し、シーケンス番号が重複するパケットは放棄し、正常に送信されたパケットを選択するように構成できる。
また、MIH端末機は、臨時チャンネルの接続後、第１通信網システムへのアップリンクトラフィック送信に失敗した場合、臨時チャンネルを介して第２通信網システムにアップリンクトラフィックを送信することができる。このために、MIH端末機は、第１通信網システムに送信するアップリンクトラフィックを二重に再送信することなく一度だけ送信するように、第１通信網に対するMAC機能を制御することができる。
【００４６】
また、MIH端末機は、MIHサーバから第２通信網へのVHOが要請される場合、第２通信網システムとVHOを遂行し、MIHサーバは、第２通信網とMIH端末機との間のVHOが完了した後、第１通信網とMIH端末機との間の接続解除および第２通信網とMIH端末機との間の臨時チャンネル接続解除を制御することができる。
図３を介して説明したMIHサーバのVHO方法によって、臨時チャンネルは、第２通信網システムの該当する基地局に割り当てられた共有チャンネルであり、VHO遂行後、MIH端末機は、第２通信網と基地局に割り当てられた専用チャンネルを介して接続することができる。
【００４７】
また、MIH端末機は、MIHモジュールを備えた所定の通信端末機で具現することができ、MIHサーバは、第１通信網および第２通信網の連動を制御するゲートウェイまたはクロスオーバールータの一部構成として具現することができる。また、第１通信網はIEEE 802．21で支援する通信網のうちのいずれか１つであり、第２通信網はIEEE 802．21で支援する通信網のうち無線LANを除いた通信網のうちのいずれか１つで具現することができる。
【００４８】
図４は、本発明の一実施形態に係るMIH端末機のVHO方法の流れを示したフローチャートである。
本発明の一実施形態に係るMIH端末機は、接続中である第１通信網との接続信号の強度が所定値以下で検出される場合、信号の検出が可能な１つ以上の通信網情報を第１通信網に対応するMIHサーバに送信する（段階411）。
【００４９】
通信網情報の送信後、MIH端末機は、MIHサーバから１つ以上の通信網のうちの１つである第２通信網へのVHO要請および第２通信網の臨時チャンネル情報を受信する（段階412）。MIH端末機は、臨時チャンネル情報を用いて第２通信網との臨時チャンネル接続を遂行する（段階413）。
臨時チャンネルが設定されると、MIHサーバは、第１通信網システムを介してMIH端末機に送信されるダウンリンクトラフィックを複写して第２通信網システムに送信する。したがって、MIH端末機は、第２通信網システムからダウンリンクトラフィックを臨時チャンネルを介して受信する（段階414）。
【００５０】
MIH端末機は、第１通信網システムから受信するダウンリンクトラフィックのパケットシーケンス番号と第２通信網システムから受信するダウンリンクトラフィックのパケットシーケンス番号を互いに比較し、シーケンス番号が重複するパケットは放棄し、正常に送信されたパケットを選択するように構成できる（段階415）。
MIH端末機は、臨時チャンネルの接続後、第１通信網システムへのアップリンクトラフィック送信が失敗する場合、臨時チャンネルを介して第２通信網システムにアップリングクトラフィックを送信する（段階416）。段階416で、MIH端末機は、第１通信網システムに送信するアップリンクトラフィックを二重に再送信することなく１度だけ送信するように、第１通信網に対するMAC機能を制御することができる。
【００５１】
MIH端末機は、臨時チャンネルの設定とともに、第２通信網システムとのVHOを遂行する（段階417）。MIH端末機は、VHOが完了して第２通信網システムとの間に専用チャンネルが設定されると、臨時チャンネルの接続を解除するとともに第１通信網とのチャンネル接続を解除する（段階418）。
図４を介して説明したMIH端末機のVHO方法によって、臨時チャンネルは、第２通信網システムの該当する基地局に割り当てられた共有チャンネルであり、VHO遂行後、MIH端末機は、基地局に割り当てられた専用チャンネルを介して第２通信網と接続されることとなる。
【００５２】
また、MIH端末機は、MIHモジュールを備えた所定の通信端末機として具現することができ、MIHサーバは、第１通信網および第２通信網の連動を制御するゲートウェイまたはクロスオーバールータの一部構成として具現することができる。また、第１通信網はIEEE 802．21で支援する通信網のうちのいずれか１つであり、第２通信網はIEEE 802．21で支援する通信網のうち無線LANを除いた通信網のうちのいずれか１つで具現することができる。
【００５３】
図３および図４を介して、本発明に係るMIHサーバのVHO方法およびMIH端末機のVHO方法を簡単に説明したが、上述したMIHサーバのVHO方法およびMIH端末機のVHO方法は、図１および図２を介して説明した本発明に係るMIH端末機およびMIHサーバのVHO方法をすべて含むように具現することができる
本発明に係るMIHサーバのVHO方法およびMIH端末機のVHO方法は、コンピュータにより具現される多様な動作を実行するためのプログラム命令を含むコンピュータ読み取り可能な媒体を含む。この媒体は、プログラム命令、データファイル、データ構造などを単独または組み合わせた構成を含むこともできる。このような媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フレキシブルディスクおよび磁気テープのような磁気媒体、CD−ROM、DVDのような光記録媒体、フロプティカルディスクのような磁気−光媒体、およびROM、RAM、フラッシュメモリなどのようなプログラム命令を保存して実行するように特別に構成されたハードウェア装置が含まれる。前述した媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前述したハードウェア要素は、本発明の動作を実行するために一以上のソフトウェアモジュールとして作動するように構成することができ、その逆もできる。
【００５４】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更きることを理解することが可能であろう。すなわち、本発明の技術的範囲は、特許請求の範囲に基づいて定められ、発明を実施するための最良の形態により制限されるものではない。
【図面の簡単な説明】
【００５５】
【図１】本発明に係るVHOを遂行するMIH端末機およびMIHサーバを含む全体ネットワークシステムの一例を示した図である。
【図２】本発明の一実施形態に係るMIH端末機およびMIHサーバのVHO方法を示した図である。
【図３】本発明の一実施形態に係るMIHサーバのVHO方法の流れを示したフローチャートである。
【図４】本発明の一実施形態に係るMIH端末機のVHO方法の流れを示したフローチャートである。
【符号の説明】
【００５６】
110：MIH端末機
120：MIHサーバ
130：WMAN RAS
140：WLAN AP
150：ブラックボーンネットワーク
【図１】
2008113413.tif 000003
【図２】
2008113413.tif 000004
【図３】
2008113413.tif 000005
【図４】
2008113413.tif 000006